(57)【要約】【課題】デュアルビュー液晶を用いずに、複数の利用者が共に操作でき、複数のジョブを共に実行できる画像形成装置を提供する。【解決手段】実行中のジョブと並行実行可能な他のジョブの名称を記憶している並行ジョブ記憶部と、前記他のジョブの名称の表示指示を受け付ける表示指示受付部２４と、表示指示受付部２４が前記表示指示を受け付けた場合、前記並行ジョブ記憶部が記憶している名称を表示部に表示する名称表示部２５と、名称表示部２５によって前記表示部に表示された名称のうち、いずれかの名称の選択を受け付ける選択受付部２６とを備え、受け付けた選択に係る名称のジョブを実行中のジョブと共に実行する。【選択図】図３
2011109269.tif 000002
【特許請求の範囲】
【請求項１】
シート上に画像を形成する画像形成手段を備え、ジョブの実行に係る画像を表示部に表示する画像形成装置において、
実行中のジョブと並行実行可能な他のジョブの名称を記憶している記憶手段と、
前記他のジョブの名称の表示指示を受け付ける受付手段と、
該受付手段が前記表示指示を受け付けた場合、前記記憶手段が記憶している名称を前記表示部に表示する名称表示手段と、
該名称表示手段によって前記表示部に表示された名称のうち、いずれかの名称の選択を受け付ける選択受付手段と
を備えていることを特徴とする画像形成装置。
【請求項２】
前記画像を前記表示部に表示する画像表示手段を備え、
該画像表示手段は、
前記受付手段が前記表示指示を受け付けた場合、表示中の画像のレイアウトを変更して表示するように構成されていることを特徴とする請求項１に記載の画像形成装置。
【請求項３】
前記画像表示手段は、
前記実行中のジョブの実行に係る画像と、前記選択受付手段が受け付けた選択に係る名称のジョブの実行に係る画像とを共に表示するように構成されていることを特徴とする請求項２に記載の画像形成装置。
【請求項４】
実行中のジョブと並行実行可能な他のジョブの名称を記憶する記憶手段を備え、ジョブの実行に係る画像を表示部に表示する画像形成装置にて、表示中の画像と、前記他のジョブに係る画像とを共に表示する画像表示方法において、
実行中のジョブと並行実行可能な他のジョブの名称の表示指示を受け付ける受付ステップと、
該受付ステップが前記表示指示を受け付けた場合、前記記憶手段が記憶している名称を前記表示部に表示する名称表示ステップと、
該名称表示ステップによって前記表示部に表示された名称のうち、いずれかの名称の選択を受け付ける選択受付ステップと
を含むことを特徴とする画像表示方法。
【請求項５】
実行中のジョブと並行実行可能な他のジョブの名称を記憶する記憶手段を備え、ジョブの実行に係る画像を表示部に表示する画像形成装置のコンピュータに、表示中の画像と、前記他のジョブに係る画像とを共に表示させるコンピュータプログラムにおいて、
コンピュータに、実行中のジョブと並行実行可能な他のジョブの名称の表示指示を受付させる受付ステップと、
コンピュータに、前記受付ステップが前記表示指示を受け付けた場合、前記記憶手段が記憶している名称を前記表示部に表示させる名称表示ステップと、
コンピュータに、前記名称表示ステップによって前記表示部に表示された名称のうち、いずれかの名称の選択を受付させる選択受付ステップと
を実行させることを特徴とするコンピュータプログラム。
【請求項６】
請求項５に記載のコンピュータプログラムを記録してあることを特徴とするコンピュータでの読み取りが可能な記録媒体。
【発明の詳細な説明】
【技術分野】
【０００１】
本発明は、ジョブの実行に係る画像を表示部に表示する画像形成装置、画像表示方法、コンピュータプログラム及び記録媒体に関する。
【背景技術】
【０００２】
近年の液晶技術の進化により、液晶表示装置は大画面化、高精細化、低コスト化が進んでいる。複写機及びＭＦＰ（Multi Function Printer）における操作パネルにおいても、液晶技術の進化に伴い、低コストの大画面、高精細液晶の搭載が進んでいる。
【０００３】
また、画面上を直接タッチする、という分かりやすい操作方法により、抵抗膜方式又は静電容量方式を代表とする、タッチパネルの搭載も合わせて進んでいる。
【０００４】
ＭＦＰはコピー、プリントアウト、ＦＡＸ、スキャンデータのファイリング、コピー及びファイリングデータのプレビュー、Scan to Email等、複数の機能（ジョブ）を備えており、これらの多くのジョブに対する設定及び確認、紙づまり及び用紙切れ等の通知、並びに対処方法の表示等にも、タッチパネルが用いられている。
【０００５】
しかし、ＭＦＰはその操作において、例えば、紙づまり又は用紙切れ等が発生している場合、操作パネル上には、当該対策方法等が表示され、紙づまり又は用紙切れとは関係のない作業（例えば、ファイリングデータの確認、Emailアドレスの登録等）を行うことが出来なくなる。また、長時間に亘る操作パネルの操作（例えば、大量のファイリングデータのプレビューによる確認、メールアドレスの設定等）を行う場合、他のジョブに係る操作（例えば、複写、FAX送信、他のファイリングデータのプレビュー確認等）を行うことができない、という問題があった。
【０００６】
一方、特許文献１では、いわゆるデュアルビュー液晶を操作パネルに使用し、複数人が共に操作を行うことが出来る装置を提案している。すなわち、操作パネルの右側の利用者が見たときの液晶タッチパネルの画面の右側半分に各種のソフトキーを寄せて表示し、同時に、操作パネルの左側の利用者が見たときの液晶タッチパネルの画面の左側半分に各種のソフトキーを寄せて表示する。これにより、操作パネルの右側の利用者及び左側の利用者ともに、液晶タッチパネルの画面を見ながら、ソフトキーの操作ができる。
【先行技術文献】
【特許文献】
【０００７】
【特許文献１】特開２００８−２１７５７６号公報
【発明の概要】
【発明が解決しようとする課題】
【０００８】
一方、デュアルビュー液晶を用いる場合、解像度が１／２に低下するため、表示された画像の精細感が欠けるという問題が生じることから、解像度の低下を防ぐべく、高解像度の液晶パネルを用いる必要があり、製造コストが高くなるという問題がある。また、デュアルビュー液晶を用いる場合、見る角度によっては、両者の画像が入り交じる領域が存在し、表示された画像の視認が難しくなるという問題もある。
【０００９】
本発明は、斯かる事情に鑑みてされたものであり、その目的とするところは、ジョブの実行に係る画像を表示部に表示する画像形成装置において、実行中のジョブと並行実行可能な他のジョブの名称を記憶している記憶手段と、前記他のジョブの名称の表示指示を受け付ける受付手段と、該受付手段が前記表示指示を受け付けた場合、前記記憶手段が記憶している名称を前記表示部に表示する名称表示手段と、該名称表示手段によって前記表示部に表示された名称のうち、いずれかの名称の選択を受け付ける選択受付手段とを備え、受け付けた選択に係る名称のジョブを実行中のジョブと共に実行することにより、デュアルビュー液晶を用いずに、デュアルビュー液晶の使用から生じる問題にかかわることなく、複数の利用者が共に操作でき、複数のジョブを共に実行できる画像形成装置を提供することにある。
【課題を解決するための手段】
【００１０】
本発明に係る画像形成装置は、シート上に画像を形成する画像形成手段を備え、ジョブの実行に係る画像を表示部に表示する画像形成装置において、実行中のジョブと並行実行可能な他のジョブの名称を記憶している記憶手段と、前記他のジョブの名称の表示指示を受け付ける受付手段と、該受付手段が前記表示指示を受け付けた場合、前記記憶手段が記憶している名称を前記表示部に表示する名称表示手段と、該名称表示手段によって前記表示部に表示された名称のうち、いずれかの名称の選択を受け付ける選択受付手段とを備えていることを特徴とする。
【００１１】
本発明にあっては、例えば、所定のジョブの実行中に、前記受付手段が前記他のジョブの名称の表示指示を受け付けた場合、前記名称表示手段が、前記記憶手段が記憶している前記他のジョブの名称に基づき、前記表示部に該名称を表示する。前記名称が前記表示部に表示された場合、前記選択受付手段が表示された名称のうち、いずれかの名称の選択を受け付ける。受け付けた選択に係るジョブは実行中のジョブと共に実行される。
【００１２】
本発明に係る画像形成装置は、前記画像を前記表示部に表示する画像表示手段を備え、該画像表示手段は、前記受付手段が前記表示指示を受け付けた場合、表示中の画像のレイアウトを変更して表示するように構成されていることを特徴とする。
【００１３】
本発明にあっては、前記受付手段が前記表示指示を受け付けた場合、前記画像表示手段は、例えば表示中の画像を縮小し、又は横・縦比率を変える等レイアウトを変更して表示部に表示する。
【００１４】
本発明に係る画像形成装置は、前記画像表示手段は、前記実行中のジョブの実行に係る画像と、前記選択受付手段が受け付けた選択に係る名称のジョブの実行に係る画像とを共に表示するように構成されていることを特徴とする。
【００１５】
本発明にあっては、前記画像表示手段は、前記実行中のジョブの実行に係る画像と、前記選択受付手段が受け付けた選択に係る名称のジョブの実行に係る画像とを、例えば、重畳して表示し、又は表示中の画像を縮小する等レイアウトを変更して、共に表示する。
【００１６】
本発明に係る画像表示方法は、実行中のジョブと並行実行可能な他のジョブの名称を記憶する記憶手段を備え、ジョブの実行に係る画像を表示部に表示する画像形成装置にて、表示中の画像と、前記他のジョブに係る画像とを共に表示する画像表示方法において、実行中のジョブと並行実行可能な他のジョブの名称の表示指示を受け付ける受付ステップと、該受付ステップが前記表示指示を受け付けた場合、前記記憶手段が記憶している名称を前記表示部に表示する名称表示ステップと、該名称表示ステップによって前記表示部に表示された名称のうち、いずれかの名称の選択を受け付ける選択受付ステップとを含むことを特徴とする。
【００１７】
本発明に係るコンピュータプログラムは、実行中のジョブと並行実行可能な他のジョブの名称を記憶する記憶手段を備え、ジョブの実行に係る画像を表示部に表示する画像形成装置のコンピュータに、表示中の画像と、前記他のジョブに係る画像とを共に表示させるコンピュータプログラムにおいて、コンピュータに、実行中のジョブと並行実行可能な他のジョブの名称の表示指示を受付させる受付ステップと、コンピュータに、前記受付ステップが前記表示指示を受け付けた場合、前記記憶手段が記憶している名称を前記表示部に表示させる名称表示ステップと、コンピュータに、前記名称表示ステップによって前記表示部に表示された名称のうち、いずれかの名称の選択を受付させる選択受付ステップとを実行させることを特徴とする。
【００１８】
本発明にあっては、例えば、所定のジョブの実行中に、実行中のジョブと並行実行可能な他のジョブの名称の表示指示を受け付けた場合、前記記憶手段が記憶している前記他のジョブの名称に基づき、前記表示部に前記名称を表示する。該名称が前記表示部に表示された場合、表示された名称のうち、いずれかの名称の選択を受け付け、受け付けた選択に係るジョブは実行中のジョブと共に実行される。
【００１９】
本発明に係る記録媒体は、前述の発明のコンピュータプログラムを記録してあることを特徴とする。
【００２０】
本発明にあっては、前記記億媒体に前述のコンピュータプログラムを記録する。コンピュータが前記記録媒体からコンピュータプログラムを読み出して、前述の画像形成装置、及び画像表示方法がコンピュータにより実現される。
【発明の効果】
【００２１】
本発明によれば、デュアルビュー液晶を用いずに、複数の利用者が共に操作することができるので、デュアルビュー液晶を使用した場合に生じる製造コストの上昇問題、見る角度によって表示された画像の視認に障害が生じる問題等にかかわることなく、複数のジョブを共に実行できる。
【図面の簡単な説明】
【００２２】
【図１】本発明の実施の形態１のデジタル複合機の要部構成を示すブロック図である。
【図２】本発明の実施の形態１のデジタル複合機の画像処理装置の要部構成を示す機能ブロック図である。
【図３】本発明の実施の形態１のデジタル複合機の制御部の要部構成を示す機能ブロック図である。
【図４】本発明の実施の形態１のデジタル複合機における、制御部とセンサー部との間の送受信を示すグラフである。
【図５】本発明の実施の形態１のデジタル複合機の制御部による処理手順を示すフローチャートである。
【図６】本発明の実施の形態１において、表示部に表示されたトラブル通知画像の一例を示す例示図である。
【図７】本発明の実施の形態１において、第２処理系による処理を説明するフローチャートである。
【図８】本発明の実施の形態１のデジタル複合機の表示制御部による名称の表示の一例を示す例示図である。
【図９】本発明の実施の形態１において、複数のジョブの実行に係る画像が共に表示された場合の例示図である。
【図１０】本発明の実施の形態２のデジタル複合機の要部構成を示す機能ブロック図である。
【発明を実施するための形態】
【００２３】
（実施の形態１）
以下、本発明に係る画像形成装置、画像表示方法、コンピュータプログラム及び記録媒体を、コピー機能、印刷機能等を有するデジタル複合機に適用した形態について、図面を用いて具体的に説明する。
【００２４】
本発明の実施の形態１に係るデジタル複合機は、実行中のジョブ以外の所定ジョブを並行可能に構成されている。
【００２５】
図１は本発明の実施の形態１のデジタル複合機１の要部構成を示すブロック図である。実施の形態１のデジタル複合機１は、制御部２と、画像入力装置３と、画像出力装置５と、画像処理装置４と、通信装置６と、記憶部９と、操作装置１０とを備えており、これらハードウェアはバスＮによって接続されている。また、操作装置１０は画像表示装置８及び並行ジョブ記憶部７を備えている。
【００２６】
図２は本発明の実施の形態１のデジタル複合機１の画像処理装置４の要部構成を示す機能ブロック図であり、図３は本発明の実施の形態１のデジタル複合機１の制御部２の要部構成を示す機能ブロック図である。
【００２７】
制御部２は、複数の処理系を備え、複数のジョブが共に出来るように構成されており、ＣＰＵ２１、ＲＯＭ２２、ＲＡＭ２３、表示指示受付部２４、名称表示部２５及び選択受付部２６を備えている。ＲＯＭ２２には各種の制御プログラム及びデータ等が予め格納されており、ＲＡＭ２３は複数のデータを記憶し、記憶順、記憶位置等に関係なく読み出すことが可能である。また、ＲＡＭ２３は、例えば、ＲＯＭ２２から読み出されたプログラム、該プログラムを実行することにより発生するデータ、外部から受信したデータ等を一時的に記憶する。ＲＡＭ２３は、ＣＰＵ２１の読出指示に応じて記憶してある各種データ等を適宜読み出す。
【００２８】
ＣＰＵ２１は、ＲＯＭ２２に予め格納されている制御プログラムをＲＡＭ２３上にロードして実行することによって前述の各種ハードウェアの制御を行い、装置全体を本発明の実施の形態１のデジタル複合機１として動作させる。
【００２９】
表示指示受付部２４は、後述するセンサー部８１を介して、表示部８２に設けられたタッチパネルをタッチ操作する利用者から、実行中のジョブと並行実行可能な他のジョブの名称を表示する表示指示を受け付ける。
【００３０】
名称表示部２５は、表示指示受付部２４が前記表示指示を受け付けた場合、後述する表示制御部４９に指示することにより、後述する並行ジョブ記憶部７が記憶しているデータに基づき、表示部８２に実行中のジョブと並行実行可能な他のジョブの名称を表示する。
【００３１】
選択受付部２６は、表示部８２に実行中のジョブと並行実行可能な他のジョブの名称が表示され、利用者が前記他のジョブの名称のうち、何れかの名称をタッチ操作して選択した場合、センサー部８１を介して、当該名称の選択を受け付ける。
【００３２】
なお、画像入力装置３は、原稿の画像を光学的に読み取る。また、画像入力装置３は、読み取り用の原稿に光を照射する光源、例えばＣＣＤ（Charge Coupled Device）のようなイメージセンサ等を有する。画像入力装置３では、載置台にセットされた原稿からの反射光像を前記イメージセンサに結像させ、ＲＧＢ（R : Red, G : Green, B : Blue）のアナログデータを出力する。画像入力装置３が出力したアナログデータは画像処理装置４に入力される。
【００３３】
画像出力装置５は、画像処理装置４から出力されるＣＭＹＫデータの画像データに基づく画像を記録用紙、ＯＨＰフィルム等のシート上に印刷する。画像出力装置５は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を用紙上に転写する転写器等を備えており、電子写真方式にて利用者が所望する画像をシート上に形成する。
【００３４】
通信装置６は、画像処理装置４にて処理した後の画像データを外部へ送信するネットワークカード、モデム等を備えており、例えば、前記画像データをメールに添付して、利用者によって指定された送信先に送信する。
【００３５】
記憶部９は、例えば、不揮発性の半導体メモリであり、画像入力装置３によって読み取られた画像、又は通信装置６を介して外部から取得した画像が記憶される。また、記憶部９は、後述するように、実行中のジョブと並行実行可能な他のジョブの実行指示を受け付けるための画像を後述する表示部８２に表示するための画像データを記憶している。
【００３６】
なお、本発明の実施の形態１のデジタル複合機１はクロック部（図示せず）を備えており、該クロック部を用いてセンサー部８１とのデータ送受信を行う。
【００３７】
画像処理装置４は、例えば画像入力装置３を通じて入力されるアナログデータを基にデジタル形式の画像データを生成し、又は記憶部９に記憶されている画像データを読み出し、夫々の画像の種類に応じた処理を施した後、出力用画像データを生成する。該出力用画像データは、画像出力装置５又は通信装置６に出力される。
【００３８】
画像処理装置４は、Ａ／Ｄ（アナログ／デジタル）変換部４０、シェーディング補正部４１、入力処理部４２、領域分離処理部４８、色補正部４４、黒生成／下色除去部４５、空間フィルタ部４６、中間調生成部４７、及び表示制御部４９を備えている。
【００３９】
例えば、画像入力装置３にて読み取られた原稿画像のアナログデータは、画像処理装置４内を、Ａ／Ｄ変換部４０、シェーディング補正部４１、入力処理部４２、領域分離処理部４８、色補正部４４、黒生成／下色除去部４５、空間フィルタ部４６、及び中間調生成部４７の順（矢印方法）で送られ、ＣＭＹＫのデジタルカラーデータとして、画像出力装置５へ出力される。
【００４０】
Ａ／Ｄ変換部４０は、画像入力装置３からのＲＧＢのアナログデータをデジタルデータに変換するものであり、シェーディング補正部４１は、Ａ／Ｄ変換部４０より送られてきたデジタルのＲＧＢデータに対して、画像入力装置３の照明系、結像系、撮像系で生じる各種の歪みを取り除く処理を施す。
【００４１】
入力処理部４２は、シェーディング補正部４１にて各種の歪みが取り除かれたＲＧＢデータ（ＲＧＢの反射率データ）夫々に対してγを補正し、カラーバランスを整えると同時に、濃度データに変換する処理を施す。
【００４２】
表示制御部４９は、入力処理が施された画像データに、画素を間引く等の処理を行って、原稿画像全体が表示部８２に表示されるようにする。画素を間引く方法としては、（１）ニアレストネイバー、（２）バイリニア、（３）バイキュービック等を用いることが出来る。また、表示制御部４９は、操作装置１０（センサー部８１）を介して受け付けた利用者からの指示に係る画像を、記憶部９から読み出して、画像表示装置８の表示部８２に表示させる。また、名称表示部２５からの指示に応じて、表示部８２に実行中のジョブと並行実行可能な他のジョブの名称を表示する。
【００４３】
なお、表示制御部４９は、記憶部９に記憶されている画像データに基づき、実行中のジョブと並行実行可能な他のジョブの実行指示を受け付けるための画像を表示部８２に表示する。さらに、表示制御部４９は、ジョブの実行に係る画像を表示部８２に表示する。この際、表示部８２に実行中のジョブと並行実行可能な他のジョブの名称が表示され、選択受付部２６が何れかの名称の選択を受け付け、選択された名称に係るジョブを実行する場合には、表示中の画像のレイアウトを縮小変更して表示すると共に、前記他のジョブに係る画像を共に表示部８２に表示する。
前記ジョブの実行に係る画像とは、ジョブの実行に関わる画像であり、例えば、ジョブにおける設定を受け付けるための画像、ジョブの進行状況を利用者に通知するための画像、ジョブ（例えば、ファイリングデータのプレビュー）の対象となる画像、ジョブの実行中に発生するトラブルを利用者に通知する画像、該トラブルの解消のための操作案内画像等が挙げられる。
【００４４】
一方、領域分離処理部４８は、入力処理部４２からのＲＧＢデータより、入力画像データの各画素が文字領域、網点領域、印刷紙写真領域（連続階調領域）等の何れかに分離する。領域分離処理部４８は、分離結果に基づき、画素がどの領域に属しているかを示す領域識別データを、黒生成／下色除去部４５、空間フィルタ部４６、及び中間調生成部４７へと出力する。
【００４５】
色補正部４４では、ＲＧＢデータの補正であるＣＭＹ（Ｃ：シアン・Ｍ：マゼンタ・Ｙ：イエロー）データが生成されると共に、色再現性を高めるために、不要吸収成分を含むＣＭＹ色材の分光特性に基づいた色濁りを取り除く処理を行う。
【００４６】
黒生成／下色除去部４５は、色補正後のＣＭＹの３色データから黒（Ｋ）データを生成する黒生成、元のＣＭＹデータから黒生成で得たＫデータを差し引いて新たなＣＭＹデータを生成する処理を行い、ＣＭＹの３色データがＣＭＹＫの４色データに変換される。
【００４７】
空間フィルタ部４６は、黒生成／下色除去部４５より入力されるＣＭＹＫデータの画像データに対して、領域識別データを基にデジタルフィルタによる空間フィルタ処理を行い、空間周波数特性を補正することによって出力画像のぼやけ及び粒状性劣化を防ぐ。
【００４８】
また、中間調生成部４７は、ＣＭＹＫデータの画像データに対して、領域識別データを基に例えば階調再現処理を施す。該階調再現処理が施されたＣＭＹＫデータの画像データは画像出力装置５に出力される。
【００４９】
操作装置１０は、画像表示装置８及び並行ジョブ記憶部７を備えており、画像表示装置８は、矩形の表示部８２と、該表示部８２の画面上に設けられたタッチパネルのタッチ座標を検出するセンサー部８１とを備えており、デジタル複写機１における「ファックス」、「複写」、「印刷」、「メール」、「読み込み」等のジョブを切り替える機能ボタン、テンキー、受け付けた指示を確定するためのエンターキー、画像入力装置３にて読み取った原稿の画像及び画像表示装置８の表示部に表示された画像をシート上に画像形成するための「出力」又は「コピー」キー等を更に備えている。
【００５０】
並行ジョブ記憶部７には、実行中の所定のジョブと並行実行可能な他のジョブの名称を示すデータが記憶されている。例えば、「コピー」のジョブの実行中に、又は「コピー」のジョブの実行中に「用紙切れ」が発生した場合に、並行実行可能な他のジョブとしては「ファイリングデータの確認」、「Ｓｃａｎ  Ｔｏ  Ｅｍａｉｌ」、「ＦＡＸ送信」、「Ｅｍａｉｌアドレス登録」、「複写予約設定」等が挙げられ、これらの名称を示すデータが並行ジョブ記憶部７に記憶されている。表示制御部４９は、並行ジョブ記憶部７に記憶されている前記画像データに基づき、実行中のジョブと並行実行可能な他のジョブの名称を表示部８２に表示する。
【００５１】
画像表示装置８はデジタル複写機１の運転状態、ジョブに係る画像、読み取った画像のプレビュー画像、操作装置１０の操作内容の確認等、利用者に対して報知すべき情報を表示する、例えば液晶ディスプレイからなる表示部８２を備えている。また、画像表示装置８は、表示部８２の設けられたタッチパネルへの利用者の指先の接触を検知してタッチ座標を検出するセンサー部８１を備えている。また、表示部８２には「ファックス」、「複写」、「印刷」、「メール」、「読み込み」等のジョブの実行指示を受け付けるためのソフトキー等が表示されており、例えば、利用者が該ソフトキーに対応する表示部８２の画面（タッチパネル）をタッチすることにより、当該ソフトキーに係るジョブの実行指示を受け付ける。
【００５２】
センサー部８１は、マルチタッチを検出可能ないわゆるタッチセンサーである。タッチセンサーの方式としては、静電容量方式、マトリクス抵抗膜方式等の透過型のものを液晶等の表示装置に張り合わせる方式、電磁誘導方式（複数のコイルが表示面に置かれており、ペン側に搭載されたコンデンサとの共振を利用し、タッチ検出を行う）、液晶自体にセンサーを埋め込んだセンサー液晶方式等があり、何れのものであっても良い。
【００５３】
従って、センサー部８１を介して利用者から所定の指定を受け付けることが出来る。例えば、利用者の指先が表示部８２のタッチパネルの所定位置をタッチした場合、制御部２はセンサー部８１から信号を取得し、該信号に基づいて利用者の指先とタッチパネルとが接触したタッチ座標を特定し、特定された座標に係るソフトキーの実行指示を受け付ける。この際における、制御部２とセンサー部８１との間の送受信を、以下に詳しく説明する。
【００５４】
図４は本発明の実施の形態１のデジタル複合機１における、制御部２とセンサー部８１との間の送受信を示すグラフである。以下においては、説明の便宜上、１点のタッチを検知する場合を例として説明する。なお、以下の説明においては、Ｈレベルが割り込み状態とし、Ｉ２Ｃバスを用いる場合を例として説明する。
【００５５】
まず、センサー部８１は、利用者のタッチを検知するとバスＮを通して制御部２に対して割り込み信号（Ｈレベル）を出力する。制御部２は、前記割り込み信号を検出すると、以下のような手順にて、タッチ座標の読み出しを行う（図４の（ａ）参照）。
（１）制御部２は、ＳＴＡＲＴ信号をアサートする。（データ信号を立ち下げる）
（２）制御部２は、クロック出力を開始する。
（３）制御部２は、センサー部８１固有のアドレスを出力する。
（４）センサー部８１は、アドレスを認識後、ＡＣＫ(アクノリッジ信号)をアサートするとともに、割り込み信号をデアサートする。（Ｌレベル出力にする）
（５）センサー部８１は、タッチされた数（ポイント数）を出力する。（ここでは、１）
（６）制御部２は、ＡＣＫをアサートする。
（７）センサー部８１は、タッチされた座標のうち、Ｘ（横）方向の座標を出力する。
（８）制御部２は、ＡＣＫをアサートする。
（９）センサー部８１は、タッチされた座標のうち、Ｙ（縦）方向の座標を出力する。
（１０）制御部２は、ＡＣＫをアサートする。
（１１）制御部２は、クロック出力を停止する。
（１２）制御部２は、ＳＴＯＰ信号をアサートする。（データ信号を立ち上げる）
これにより、制御部２は、センサー部８１上のタッチ座標を得ることができる。
【００５６】
また、複数（例えば、２点）のタッチが検出された場合は、上記（５）において、センサー部８１は「２」を出力することになる。また、２か所目の座標は、１か所目の座標に引き続き、センサー部８１から出力される（図４の（ｂ）参照）。更に、タッチが継続して行われていた場合は、センサー部８１は、上記（４）において割り込み信号をデアサートしないことで、図４の（ｃ）に示すように、制御部２が座標読み出しを連続して行う。
【００５７】
以下、本発明の実施の形態１のデジタル複合機１における、複数のジョブの実行について、詳しく説明する。説明の便宜上、第１利用者から「コピー」の実行指示を受け付け、第１処理系が「コピー」のジョブの実行中に「用紙切れ」が発生しており、この際、第２利用者から「ファイリングデータのプレビュー」の実行指示を受け付け、第２処理系が「ファイリングデータのプレビュー」のジョブを実行する場合を例として説明する。図５は本発明の実施の形態１のデジタル複合機１の制御部２による処理手順を示すフローチャートである。
【００５８】
例えば、第１利用者が複数枚の原稿を画像入力装置３の自動原稿送り装置（図示せず）に載置して、表示部８２の「コピー」ソフトキーをタッチした場合、ＣＰＵ２１はセンサー部８１から上述した手法にてタッチ座標を取得することにより、「コピー」の実行指示を受け付ける（ステップＳ１０１）。
【００５９】
次いで、例えば、第１利用者が表示部８２のソフトキーをタッチ操作してコピー部数、拡大率等の設定をし、ＣＰＵ２１はセンサー部８１を介して前記設定の指示を受け付ける（ステップＳ１０２）。ＣＰＵ２１は受け付けた設定に係るデータをＲＡＭ２３に記憶する。
【００６０】
ＣＰＵ２１は、例えば、原稿の正常載置如何、用紙切れ如何及び紙詰まり如何等の確認を行い、正常状態であるか否かを判定する（ステップＳ１０３）。斯かる判定は、例えば、ＣＰＵ２１が、前記自動原稿送り装置のセンサー、用紙カセットのセンサー等から信号を取得することによって行われる。
【００６１】
ＣＰＵ２１は正常状態であると判定した場合（ステップＳ１０３：ＹＥＳ）、画像入力装置３に前記原稿の読み込みを指示し、コピーのジョブを実行する（ステップＳ１０４）。
【００６２】
画像入力装置３によって読み込まれた画像データに、画像処理装置４が画像処理を施し、画像出力装置５は画像処理装置４によって画像処理された画像データに基づく画像を、用紙上に形成して出力する。この後、ＣＰＵ２１はＲＡＭ２３に記憶されている「コピー」に係る設定に基づき、「コピー」のジョブが終了したか否かを判定する（ステップＳ１０５）。
【００６３】
ＣＰＵ２１は、「コピー」のジョブが終了したと判定した場合（ステップＳ１０５：ＹＥＳ）、処理を終了する。一方、ＣＰＵ２１は、「コピー」のジョブが終了していないと判定した場合（ステップＳ１０５：ＮＯ）、処理をステップＳ１０３に戻し、再び正常状態であるか否かを判定する。
【００６４】
一方、ＣＰＵ２１はステップＳ１０３にて、正常状態でないと判定した場合（ステップＳ１０３：ＮＯ）、トラブルが発生した旨を第１利用者に通知する（ステップＳ１０６）。詳しくは、ＣＰＵ２１は、各種センサーから取得した信号に基づき、トラブル発生の場所及びトラブルの内容、並びに該トラブルの解消手順等を通知する画像を表示部８２に表示する。図６は本発明の実施の形態１において、表示部８２に表示されたトラブル通知画像の一例を示す例示図である。本実施例においては、用紙切れが発生した場合を例としており、図６に例示するトラブル通知画像には用紙切れが発生した場所及び解消方法が表示されている。また、前記トラブル通知画像には、トラブルが解消した後にジョブ再開の指示を受け付けるための「ＯＫ」ソフトキー、及び実行中のジョブを中止するための「コピーキャンセル」ソフトキーが表示されている。第１利用者は表示部８２に表示された解消方法に従ってトラブルを解消し、前記「ＯＫ」ソフトキーをタッチすることによって、ジョブが再開される。
【００６５】
次いでＣＰＵ２１は、現在実行中のジョブと並行実行可能な他のジョブの名称を表示する表示指示を受け付けるための画像（以下、名称表示指示受付画像と言う。）を表示する（ステップＳ１０７）。本実施例においては、ＣＰＵ２１は実行中の「コピー」のジョブと並行実行可能な他のジョブの名称を表示部８２に表示する表示指示を受け付ける「他の操作」ソフトキーを表示する（図６参照）。
【００６６】
ＣＰＵ２１は、前記「ＯＫ」ソフトキーのタッチを、センサー部８１を介して監視することによって、ジョブ再開指示を受け付けたか否かを判定する（ステップＳ１０８）。第１利用者が用紙を補給した後、前記「ＯＫ」ソフトキーをタッチした場合、ＣＰＵ２１はセンサー部８１から取得したデータ信号に基づき、ジョブ再開指示を受け付けたと判定し（ステップＳ１０８：ＹＥＳ）、処理をステップＳ１０３に戻す。
【００６７】
一方、ＣＰＵ２１はセンサー部８１から取得したデータ信号に基づき、ジョブ再開指示を受け付けていないと判定した場合（ステップＳ１０８：ＮＯ）、現在実行中のジョブをキャンセルする指示を受け付けたか否かを判定する（ステップＳ１０９）。斯かる判定は、前記「コピーキャンセル」ソフトキーのタッチを、センサー部８１を介して監視することによって行われる。
【００６８】
ＣＰＵ２１は、現在実行中のジョブをキャンセルする指示を受け付けたと判定した場合（ステップＳ１０９：ＹＥＳ）、現在実行中の「コピー」のジョブを中止し、処理を終了する。一方、ＣＰＵ２１は、現在実行中のジョブをキャンセルする指示を受け付けていないと判定した場合（ステップＳ１０９：ＮＯ）、処理をステップＳ１０８に戻す。
【００６９】
本実施例においては、前記トラブル通知画像を表示する際（ステップＳ１０６）に、前記名称表示指示受付画像が表示される場合を例として説明したが、これに限るものでない。例えば、ジョブの実行を始める際、本実施例においてはステップＳ１０２の処理後に前記名称表示指示受付画像を表示するように構成しても良く、ステップＳ１０１の処理後に表示するように構成しても良い。
【００７０】
一方、ステップＳ１０７にて、前記名称表示指示受付画像が表示部８２に表示された場合、第２利用者による前記名称表示指示受付画像の操作が想定できる。すなわち、第２利用者が前記「他の操作」ソフトキーをタッチ操作することによって、ＣＰＵ２１がセンサー部８１からバスＮを通して割り込みデータ信号（Ｈレベル）を受信した以降においては、第２処理系によって処理が行われる。
【００７１】
以下、第２処理系による処理を説明する。図７は本発明の実施の形態１において、第２処理系による処理を説明するフローチャートである。説明の便宜上、上述した第１処理系による処理の場合と同一条件の下、ステップＳ１０７にて、前記名称表示指示受付画像が表示部８２に表示され、第２利用者による前記名称表示指示受付画像のタッチが行われた場合を例として説明する。
【００７２】
制御部２の表示指示受付部２４は、センサー部８１から取得したデータ信号に基づき、前記「他の操作」ソフトキーのタッチを監視し、現在実行中のジョブと並行実行可能な他のジョブの名称を表示する表示指示（以下、名称表示指示と言う。）を受け付けたか否かを判定する（ステップＳ２０１）。
【００７３】
表示指示受付部２４は、前記名称表示指示を受け付けていないと判定した場合（ステップＳ２０１：ＮＯ）、名称表示指示を受け付けるまで待機する。一方、表示指示受付部２４は、前記名称表示指示を受け付けたと判定した場合（ステップＳ２０１：ＹＥＳ）、表示制御部４９は、表示部８２に表示中の画像のレイアウトを縮小変更して、例えば表示部８２の一方側に表示する（ステップＳ２０２）。
【００７４】
次いで制御部２の名称表示部２５は、表示制御部４９に指示することによって、現在実行中のジョブと並行実行可能な他のジョブの名称を表示部８２に表示する（ステップＳ２０３）。詳しくは、名称表示部２５の指示に従って、表示制御部４９は、並行ジョブ記憶部７に記憶されている、実行中のジョブと並行実行可能な他のジョブの名称を示すデータに基づき、前記名称を表示部８２の他方側に共に表示する。
【００７５】
図８は表示制御部４９による前記名称の表示の一例を示す例示図である。例えば、本実施例においては、「コピー」のジョブの実行中に「用紙切れ」が発生しており、この際に、並行実行可能な他のジョブは、上述したように、「ファイリングデータの確認」、「Ｓｃａｎ  Ｔｏ  Ｅｍａｉｌ」「ＦＡＸ送信」、「Ｅｍａｉｌアドレス登録」、「複写予約設定」等であり、これらのジョブの名称が表示部８２の紙面視左側に表示されている。一方、表示部８２の紙面視右側には、表示中であったトラブル通知画像がレイアウトを縮小されて共に表示されている（図６参照）。
【００７６】
図８に示したように、ジョブの名称が表示された場合、第２利用者は表示されたジョブの名称のうち、何れかのジョブの名称に対応する表示部８２の画面をタッチして選択する。この際、選択受付部２６は、センサー部８１から取得したデータ信号に基づき、何れかの名称の選択を受け付ける（ステップＳ２０４）。以下においては、説明の便宜上、「ファイリングデータ確認」の名称が選択された場合を例として説明する。
【００７７】
次いで、ＣＰＵ２１は、選択された名称に係る「ファイリングデータ確認」のジョブの実行を開始する（ステップＳ２０５）。すなわち、ＣＰＵ２１は記憶部９に記憶されている、ファイリングデータを読み出し、当該データのプレビュー画像を表示部８２に表示するように、表示制御部４９に指示する。
【００７８】
この際、表示制御部４９は、選択された名称に係る「ファイリングデータ確認」のジョブの実行に係る画像と、既に実行中のジョブの実行に係る画像とを、共に表示する（ステップＳ２０６）。図９は本発明の実施の形態１において、複数のジョブの実行に係る画像が共に表示された場合の例示図である。本実施例において、上述の「既に実行中のジョブの実行に係る画像」は、前記トラブル通知画像であり、前記「ファイリングデータ確認」のジョブの実行に係るプレビュー画像が表示部８２の紙面視左側に表示されており、表示部８２の紙面視右側には、前記トラブル通知画像がレイアウトを縮小されたまま、共に表示されている。
【００７９】
その後、選択された名称に係る「ファイリングデータ確認」のジョブの実行が終了し（ステップＳ２０７）、処理が終了する。
【００８０】
なお、複数のジョブが共に実行されることによって、複数のジョブの実行に係る画像が共に表示部８２に表示された場合において、何れかのジョブが先に終了した時は、該ジョブの実行に係る画像の表示も終了し、終了していないジョブの実行に係る画像のみが表示部８２に表示される。例えば、図９に示す例において、「ファイリングデータ確認」のジョブが先に終了した場合は、図９に示すような画像から、「ファイリングデータ確認」のジョブの実行に係る画像（紙面視左側）が消え、図６に示すように、前記トラブル通知画像のみが全面的に表示される。
【００８１】
本発明に係る画像形成装置は以上のような構成を有するので、いわゆる「デュアルビュー液晶」又は「トリプルビュー液晶」を設ける必要がなく、さらに前記「デュアルビュー液晶」又は「トリプルビュー液晶」を設けた場合に生じ得る画像の視認障害を感じることなく、複数の利用者が同時にぞれぞれのジョブを実行させることができる。
【００８２】
（実施の形態２）
図１０は本発明の実施の形態２のデジタル複合機１の要部構成を示す機能ブロック図である。実施の形態２のデジタル複合機１は、実行中のジョブと並行実行可能な他のジョブの名称を示すデータを記憶する並行ジョブ記憶部７と、表示部８２と、通信ＩＦ１１を備えており、動作を行うためのプログラムが、通信ＩＦ１１を介してＣＤ−ＲＯＭ等の記録媒体の可搬型記録媒体Ａで提供することも可能であるように構成されている。更に、実施の形態２のデジタル複合機１は、前記コンピュータプログラムを、図示しない外部装置から通信ＩＦ１１を介してダウンロードすることも可能であるように構成されている。以下に、その内容を説明する。
【００８３】
実施の形態２のデジタル複合機１は、外装（又は内装）の記録媒体読み取り装置（図示せず）を更に備えており、該記録媒体読み取り装置に、実行中のジョブと並行実行可能な他のジョブの名称の表示指示を受付させ、前記表示指示を受け付けた場合、並行ジョブ記憶部７が記憶している名称を表示部８２に表示させ、表示部８２に表示された名称のうち、いずれかの名称の選択を受付させるプログラム等が記録された可搬型記録媒体Ａを挿入して、例えば記憶部９にこのプログラムをインストールする。斯かるプログラムはＲＡＭ２３にロードして実行される。これにより、本発明の実施の形態２のデジタル複合機１として機能する。
【００８４】
前記記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【００８５】
いずれの場合においても、格納されているプログラムコードはＣＰＵがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【００８６】
ここで、上記プログラムメディアは、本体と分離可能に構成される記録媒体であり、磁気テープ又はカセットテープ等のテープ系、フレキシブルディスク又はハードディスク等の磁気ディスク又はＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically  Erasable  Programmable  Read  Only  Memory）、フラッシュＲＯＭ等による半導体メモリを含めた固定的にプログラムコードを担持する媒体であっても良い。
【００８７】
実施の形態１と同様の部分については、同一の符号を付して詳細な説明を省略する。
【符号の説明】
【００８８】
１  デジタル複合機
２  制御部
５  画像出力装置（画像形成手段）  
７  並行ジョブ記憶部（記億手段）
２４  表示指示受付部（受付手段）
２５  名称表示部（名称表示手段）
２６  選択受付部（選択受付手段）
４９  表示制御手段（画像表示手段）
８２  表示部
【図１】
2011109269.tif 000003
【図２】
2011109269.tif 000004
【図３】
2011109269.tif 000005
【図４】
2011109269.tif 000006
【図５】
2011109269.tif 000007
【図６】
2011109269.tif 000008
【図７】
2011109269.tif 000009
【図８】
2011109269.tif 000010
【図９】
2011109269.tif 000011
【図１０】
2011109269.tif 000012